(57)【要約】【課題】ダクトジョイントの長さを短くすることのできる換気装置を提供する。【解決手段】浴室の空気を吸い込むための吸込開口２３と、他の室内の空気を吸い込むための吸入口２４，２５と、これら吸い込んだ空気を排気するための排気口とを本体ケース２２に設け、吸込開口２３および吸入口２４，２５から吸い込んだ空気を前記排気口へ排気させるシロッコファン２７を本体ケース２２内に設け、前記他の部屋に連通するダクトを接続するダクトジョイント３０，３１を吸込口２４，２５に設けた換気装置であって、ダクトジョイント３０，３１内に複数のダンパー４６，４７，５６，５７を並設して吸込口２４，２５の開度を調整する。【選択図】　図４
2004036945.tif 000002
【特許請求の範囲】
【請求項１】
室内の空気を吸い込むための吸込開口と、他の室内の空気を吸い込むための吸入口と、これら吸い込んだ空気を排気するための排気口とを本体ケースに設け、前記吸込開口および吸入口から吸い込んだ空気を前記排気口へ排気させる送風手段を本体ケース内に設け、前記他の部屋に連通するダクトを接続するダクトジョイントを前記吸込口に設けた換気装置であって、
前記ダクトジョイント内に複数のダンパーを並設して吸込口の開度を調整するようにしたことを特徴とする換気装置。
【請求項２】
前記開度に応じて排気口から排気される風量を変えることを特徴とする請求項１に記載の換気装置。
【発明の詳細な説明】
【０００１】
【発明の属する技術分野】
この発明は、浴室などに設けられて多室を換気することのできる換気装置に関する。
【０００２】
【従来の技術】
従来から、図１２に示す換気装置が知られている（特開平１０−３００１４２号公報参照）。
【０００３】
図１２において、１は本体であり、この本体１内にはダクトジョイント２や吸込口３から空気を吸い込んで排気口（図示せず）から排気させるファン（図示せず）が設けられている。ダクトジョイント２内には、軸４回りに回動可能なシャッタ５が設けられており、このシャッタ５は図示しないステッピングモータによって回動され、図１３に示すように全閉されたり全開されたりする他に、その回動角に応じてそのダクトジョイント２から吸い込まれる空気の量が調整できるようになっている。
【０００４】
【発明が解決しようとする課題】
しかしながら、このような換気装置にあっては、シャッタ５を軸４を中心にして回動させるため、ダクトジョイント２の長さを少なくともシャッタ５の直径と同一の長さに設定しなければならなかった。このため、シャッタ５の径が大きい場合、すなわちダクトジョイント２の内径が大きい場合、ダクトジョイント２の長さＬが長くなってしまい、ダクトジョイント２が大型化してしまう問題があった。さらに、ダクトジョイント２は金属製であり、プレス加工により成形しているが、ダクトジョイント２が大型化してしまうと、ダクトジョイント２をプレス加工により成形することが困難なものとなる。このため、ダクトジョイント２を２分割したもので構成しなければならず、部品点数が増加するとともに組立工数も増加してしまうなどの多くの問題があった。
【０００５】
この発明の目的は、ダクトジョイントの内径の大きさに拘わらず、ダクトジョイントの長さを短くすることのできる換気装置を提供することにある。
【０００６】
【課題を解決するための手段】
上記目的を達成するため、請求項１の発明は、室内の空気を吸い込むための吸込開口と、他の室内の空気を吸い込むための吸入口と、これら吸い込んだ空気を排気するための排気口とを本体ケースに設け、前記吸込開口および吸入口から吸い込んだ空気を前記排気口へ排気させる送風手段を本体ケース内に設け、前記他の部屋に連通するダクトを接続するダクトジョイントを前記吸込口に設けた換気装置であって、
前記ダクトジョイント内に複数のダンパーを並設して吸込口の開度を調整するようにしたことを特徴とする。
【０００７】
請求項２の発明は、前記開度に応じて排気口から排気される風量を変えることを特徴とする。
【０００８】
【発明の実施の形態】
以下、この発明に係る換気装置の１つである浴室用換気装置の実施の形態を図面に基づいて説明する。
【０００９】
図１に示す浴室用換気装置２０は、換気ユニット２１と暖房ユニット６０とを備え、暖房ユニット６０は換気ユニット２１の本体ケース２２の一側面（図１において左側面）に取り付けられている。
【００１０】
本体ケース２２の底面には、浴室（図示せず）の空気を吸い込む吸込開口２３が設けられている。この吸込開口２３には図示しないダンパが設けられており、このダンパを回動させることにより吸込開口２３の開度が調整できるようになっている。
【００１１】
また、図２に示すように本体ケース２２の他側面および正面には吸込口２４，２５が設けられており、これら吸込口２４，２５には金属製のダクトジョイント３０，３１が取り付けられている。ダクトジョイント３０には図示しないダクトが接続され、このダクトを介してダクトジョイント３０とトイレ（図示せず）とが連通されている。ダクトジョイント３１には図示しないダクトが接続され、このダクトを介してダクトジョイント３１と脱衣室（図示せず）とが連通されている。
【００１２】
また、本体ケース２２の他側面には図示しない排気口が設けられており、この排気口には図１に示すようにダクトジョイント２６が取り付けられている。このダクトジョイント２６には図示しない排気ダクトが接続され、この排気ダクトを介して排気口と屋外とが連通されている。
【００１３】
本体ケース２２内には、シロッコファン（電動送風手段）２７が取り付けられており、このシロッコファン２７は本体ケース２２の天板２２Ａに設けたモータＭによって回転する。シロッコファン２７の回転により、吸込開口２３から浴室の空気を吸い込むとともに、ダクトジョイント３０，３１からダクトを介してトイレと脱衣室の空気を吸い込むようになっている。これら吸い込まれた空気は排気口からダクトジョイント２６および図示しない排気ダクトを介して屋外へ排気される。
【００１４】
ダクトジョイント３０，３１の一側面にはそれぞれ電動ケース３２，３３が設けられており、電動ケース３２内には、図３および図４に示すように回転自在に配置されるとともに互いに所定距離離間した一対のギア４０，４１と、これらギア４０，４１に噛合された駆動ギア４２と、パルスモータ４３とが配置され、駆動ギア４２がモータ４３の駆動軸４３ａに取り付けられている。パルスモータ４３によって駆動ギア４２が図３の矢印方向（時計回り）に回転駆動されるとギア４０，４１はぞれぞれ矢印方向（反時計回り）へ回転していく。ギア４０の歯数とギア４１の歯数は同一に設定されており、後述するダンパー４６，４７は互いに同一角度だけ回転していくようになっている。
【００１５】
ギア４０，４１には回転軸４４，４５の一端が装着されており、この回転軸４４，４５はダクトジョイント３０内を回転自在に貫装されている。ダクトジョイント３０の風路断面はほぼ正方形に形成されている。
【００１６】
回転軸４４，４５は互いに平行となっているとともに風路方向と直交している。回転軸４４，４５は、図４および図５に示すように長方形のダンパー４６，４７を上下（図４において）に２等分するように取り付けている。ダンパー４６，４７の幅Ｗは同一に設定されている。そして、ダンパー４６，４７は回転軸４４，４５とともに回転してダクトジョイント３０の風路を開閉するようになっている。換言すれば、ダンパー４６，４７は本体ケース２２の吸込口２４を開閉し、その回転位置によってその開度が調整できるようになっている。
【００１７】
同様に、電動ケース３３内には、図１０に示すようにギア５０，５１と駆動ギア５２とパルスモータ５３（図６参照）とが配置され、図９に示すようにダクトジョイント３１内にも回転軸５４，５５が回転自在に貫装され、回転軸５４，５５にはダンパー５６，５７が取り付けられており、ダンパー５６，５７の幅Ｗは同一に設定されている。そして、ダンパー５６，５７が回転軸５４，５５とともに回転してダクトジョイント３１の風路、すなわち本体ケース２２の吸込口２５を開閉し、その回転位置によってその開度が調整できるようになっている。
【００１８】
暖房ユニット６０は、図１に示すように、シロッコファン６１とヒータ６２とシロッコファン６１を回転させるモータ６６とを備えており、シロッコファン６１の回転により吸込開口６３から浴室の空気が吸い込まれ、この吸い込まれた空気はヒータ６２により加温されて吹出口６５から浴室へ吹き出されていく。これにより、浴室が暖房されるようになっている。
【００１９】
図６は浴室用換気装置２０の制御系の構成を示したブロック図である。図６において、８０は操作部８１の操作、照明スイッチ８５，８６のオン・オフやシロッコファン６１の回転数を検出する回転数検出手段８２の検出出力などに基づいて、モータＭ，６６やパルスモータ４３，５３を制御するとともにヒータ６２を制御する制御装置である。操作部８１は浴室や脱衣室に設置される。制御装置８０は、ＣＰＵなどから構成されている。回転数検出手段８２は例えばタコゼネレータなどから構成されている。
［動　作］
次に、上記のように構成される浴室用換気装置２０の動作について説明する。
【００２０】
先ず、操作部８１の操作により換気モードが設定された場合について説明する。
【００２１】
換気モードが設定されると、モータＭが駆動されてシロッコファン２７が回転し、このシロッコファン２７の回転により本体ケース２２の吸込開口２３から浴室の空気が吸い込まれて排気用のダクトジョイント２６および図示しない排気ダクトを介して屋外へ排気されていき、浴室の換気が行われる。この場合、吸込開口２３は図示しないダンパにより換気量が適正量となるように予め設定された開度に調整されるとともに、モータＭはその換気量が適正となるように予め設定された速度で回転される。なお、ダクトジョイント３０，３１のダンパー４６，４７，５６，５７は全閉している。
【００２２】
脱衣室の照明スイッチ８６がオンされると、パルスモータ５３が回転駆動されて図９および図１０に示すように脱衣室の換気量が適正量となるように予め設定した開度にダンパー５６，５７が開成される（図９および図１０はダンパー５６，５７が全開した１例を示す）。このダンパー５６，５７の開成により、脱衣室の換気が行われる。
【００２３】
また、照明スイッチ８６がオンされるとモータＭの回転速度が増加され、排気口からの排気量が増加される。この排気量の増加により、本体ケース２２の吸入口２５から脱衣室の空気が吸い込まれても、本体ケース２２の吸込開口２３による浴室の空気の吸込量が適正に保たれる。
【００２４】
さらに、この状態でトイレの照明スイッチ８５がオンされると、パルスモータ４３が回転駆動されて図１１に示すようにトイレの換気量が適正となるように予め設定された開度にダンパー４６，４７が開成される。このダンパー４６，４７の開成により、トイレが換気されてトイレの臭いが速やかに外へ排出されることになる。
【００２５】
このトイレの照明スイッチ８５がオンされると、さらにモータＭの回転速度が増加され、排気口からの排気量がさらに増加される。この排気量の増加により、本体ケース２２の吸入口２４，２５からトイレおよび脱衣室の空気が吸い込まれても、本体ケース２２の吸込開口２３による浴室の空気の吸込量が適正に保たれることになる。
【００２６】
換気モードの設定が解除され、トイレと脱衣室の照明スイッチ８５，８６がオフのとき、制御装置８０はパルスモータ４３，５３を制御して本体ケース２２の吸込口２４，２５をダンパー４６，４７，５６，５７により全閉するとともにモータＭの駆動を停止させる。モータＭの停止により浴室，脱衣室，トイレの換気は停止する。また、ダンパー４６，４７による吸込口２４の全閉により、トイレの臭いが浴室や脱衣室へ流れ込んでしまうことが防止される。
【００２７】
次に、換気モードが設定されていない場合について説明する。
【００２８】
脱衣室の照明スイッチ８６のみがオンされると、パルスモータ５３が回転駆動されて脱衣室の換気量が適正量となるように予め設定した開度にダンパー５６，５７が開成されるとともに、モータＭはその換気量が適正となるように予め設定された速度で回転される。この場合、ダクトジョイント３０のダンパー４６，４７および本体ケース２２の吸込開口２３のダンパは全閉している。
【００２９】
この状態で、トイレの照明スイッチ８５がオンされると、パルスモータ４３が回転駆動されてトイレの換気量が適正量となるように予め設定した開度にダンパー４６，４７が開成される。このダンパ４６，４７の開成によりトイレの換気が行われ、適正な換気量の換気が行われる。また、モータＭの回転速度は増加され、排気口からの排気量が増加される。この排気量の増加により、本体ケース２２の吸入口２４からトイレの空気が吸い込まれても、本体ケース２２の吸込開口２５による脱衣室の空気の吸込量が適正に保たれる。
【００３０】
トイレの照明スイッチ８５のみがオンされた場合、換気量が適正量となるように予め設定した開度にダンパー４６，４７が開成されるとともに、モータＭはその換気量が適正となるように予め設定された速度で回転される。この場合、ダクトジョイント３１のダンパー５６，５７および本体ケース２２の吸込開口２３のダンパは全閉している。
【００３１】
操作部８１の操作により暖房モードが設定されると、モータ６６が駆動されるとともにヒータ６２が通電される。モータ６６の駆動によりシロッコファン６１が回転して、本体ケース２２の吸込開口６３から浴室の空気が吸い込まれていく。この吸い込まれた空気はヒータ６２によって加温されて吹出口６４から浴室へ吹き出されていき、浴室の暖房が行われる。この場合、ダンパー４６，４７，５６，５７は全閉となっているが、必要に応じてダンパー４６，４７，５６，５７の開度を調整して脱衣室やトイレの暖房を行うようにしてもよい。
【００３２】
乾燥モードが設定されると、シロッコファン２７，６１が回転されるとともにヒータ６２が通電される。ヒータ６２の通電により温風が吹出口６４から吹き出されるとともにシロッコファン６１によりその温風が循環され、湿った空気はシロッコファン２７により外へ排気されていく。これにより、浴室内の乾燥が行われて、浴室内で洗濯物の衣類の乾燥が行われる。この際、ダンパ４６，４７，５６，５７は全閉している。
【００３３】
ところで、ダクトジョイント３０（３１）内に２つのダンパー４６，４７（５６，５７）を回動自在に並設して吸込口２４，２５の開閉を行うようにしたものであるから、ダクトジョイント３０（３１）の内径、すなわち上下方向（図５において）の長さが大きくなってもダクトジョイント３０（３１）の長さＨをダンパー４６，４７（５６，５７）の幅Ｗとほぼ同一に設定することができ、この実施形態では従来の長さＬと比較して１／２の長さで済むことになる。このため、ダクトジョイント３０，３１の小型化を図ることができる。このため、ダクトジョイント３０，３１を２分割したもので構成せずに済み、部品点数の増加や組立工数の増加を防止することができる。
【００３４】
上記実施形態では、トイレや脱衣室の使用状況の判断として、トイレの照明スイッチ８５や脱衣室の照明スイッチ８６がオンしたとき、トイレや脱衣室の換気が行われるようにしたが、専用の換気スイッチをトイレや脱衣室に設けて、その専用の換気スイッチをオンしたときトイレや脱衣室の換気が行われるようにしてもよい。また、赤外センサをトイレや脱衣室に設け、この赤外センサが人を検知したとき、トイレや脱衣室の換気が行われるようにしてもよい。
【００３５】
各室内の使用状況の判断の例としてトイレや脱衣室について説明したが、レンジフードや他の機器が有る室内では、それらレンジフードや機器の使用からその室内の使用状況を判断してよい。
【００３６】
さらに、脱衣室について、浴室換気モードが設定されたとき、ダンパー４６，４７を開成してその開度を調整し、浴室換気と連動して脱衣室の換気を行ってもよい。
【００３７】
また、上記実施形態では浴室の換気装置の本体ケース２２の吸込開口２３から浴室の空気を吸い込むようにしているが、他の室内の空気を吸い込むようにしてもよい。また、各ダクトジョイント３０，３１に２つのダンパー４６，４７，５６，５７を設けているが、これに限らず３つ以上設けてもよい。
【００３８】
さらに、上記実施形態では、ダンパー４６，４７やダンパー５６，５７はそれぞれ１つのパルスモータ４３，５３で開度を調整するようにしているが、各ダンパー４６，４７，５６，５７毎にパルスモータを設けて各ダンパー毎に開度を調整するようにしてもよい。この場合、より細かい制御が可能である。
【００３９】
また、外風圧の影響や各機器の使用状況等の検出に圧力センサを設け、この圧力センサの検出圧力に基づいたり、シロッコファン２７の回転数のシロッコファン２７の負荷量を判断して、適正風量となるようにダンパー４６，４７，５６，５７の開度をフィードバック制御で行ってもよい。
【００４０】
【発明の効果】
以上説明したように、この発明によれば、ダクトジョイントの内径の大きさに拘わらず、ダクトジョイントの長さを短くすることができる。
【図面の簡単な説明】
【図１】この発明に係る換気装置を示した側面図である。
【図２】図１に示す換気装置の一部を拡大した説明図である。
【図３】ダクトジョイントの電動ケース内に配置したギアを示した説明図である。
【図４】電動ケース内のギアとダクトジョイント内のダンパーを示した横断面図である。
【図５】ダクトジョイント内のダンパーを示した縦断面図である。
【図６】換気装置の制御系の構成を示したブロック図である。
【図７】ダンパーが半開した状態を示した説明図である。
【図８】ダンパーが半開した状態を示した横断面図である。
【図９】ダンパーが全開した状態を示した説明図である。
【図１０】ダンパーが全開した状態とギアを示した説明図である。
【図１１】図７に示すダンパーが全開した状態を示した説明図である。
【図１２】従来の換気装置を示した斜視図である。
【図１３】従来のダンパーの開閉を示した説明図である。
【符号の説明】
２０　　　　　　　　浴室用換気装置（換気装置）
２２　　　　　　　　本体ケース
２３　　　　　　　　吸込開口
２４　　　　　　　　吸込口
２５　　　　　　　　吸込口
２７　　　　　　　　シロッコファン（電動送風手段）
２８　　　　　　　　モータ
３０　　　　　　　　ダクトジョイント
３１　　　　　　　　ダクトジョイント
４６　　　　　　　　ダンパー
４７　　　　　　　　ダンパー
５６　　　　　　　　ダンパー
５７　　　　　　　　ダンパー
【図１】
2004036945.tif 000003
【図２】
2004036945.tif 000004
【図３】
2004036945.tif 000005
【図４】
2004036945.tif 000006
【図５】
2004036945.tif 000007
【図６】
2004036945.tif 000008
【図７】
2004036945.tif 000009
【図８】
2004036945.tif 000010
【図９】
2004036945.tif 000011
【図１０】
2004036945.tif 000012
【図１１】
2004036945.tif 000013
【図１２】
2004036945.tif 000014
【図１３】
2004036945.tif 000015